(57)【要約】【課題】構成が簡単で安価な水切具を提供する。【解決手段】吸着部３とスタンド支承部８とからなるスタンド基台部２と、スタンド支承部８に立設されるロッド状スタンド７とからなり、吸着部３は、僅かに湾曲気味の円形の吸着盤４と、該吸着盤４の背後に重ねて配置される円形の加圧盤５と、吸着盤４を湾曲させ吸着盤４が当接する被吸着面とで形成される空間部の容積を機械的に拡大させることで該空間部を低圧状態にして吸着力を付与するための押圧保持レバー６を有し、またスタンド支承部８は、前記加圧盤５の外側上方から連結し該加圧盤５に対して略水平方向に延設され、ロッド状スタンド７が立設される。水切具１は流し台のシンク内壁面１１などに吸着盤４を介して強固に吸着固定され、スタンド基台部２のスタンド支承部８に立設したロッド状スタンド７には洗浄後のペットボトル１２が逆さの姿勢で掛吊される。【選択図】図３
0003124034.tif 000002
【実用新案登録請求の範囲】
【請求項１】
吸着盤と、該吸着盤の背後に重ねて配置されている加圧盤を有し、吸着盤を湾曲させて該吸着盤に吸着力を付与する押圧保持レバーを有してなる吸着部の前記加圧盤の外側に、該加圧盤に対して略水平方向にスタンド支承部が延設されてなるスタンド基台部の前記スタンド支承部に、ロッド状スタンドが立設されてなることを特徴とする水切具。
【請求項２】
吸着盤と、該吸着盤の背後に重ねて配置されている加圧盤を有し、吸着盤を湾曲させて該吸着盤に吸着力を付与する押圧保持レバーを有してなる吸着部の前記加圧盤の外側に、該加圧盤に対して略水平方向にスタンド支承部が延設されてなるスタンド基台部２個を適宜間隔を置いて配設し、該スタンド基台部の前記スタンド支承部に、フレームに少なくとも３個のロッド状スタンドを設けたフレームスタンドが立設されてなることを特徴とする水切具。
【請求項３】
フレームスタンドに、伸縮自在の支柱が取り付けられていることを特徴とする請求項２記載の水切具。
【請求項４】
ロッド状スタンドの頭部に装飾部が設けられていることを特徴とする請求項１〜３のいずれか１項に記載の水切具。
【請求項５】
ロッド状スタンドの頭部に支承板が設けられていることを特徴とする請求項１〜３のいずれか１項に記載の水切具。
【請求項６】
プラスチックからなる請求項１〜５のいずれか１項に記載の水切具。
【考案の詳細な説明】
【技術分野】
【０００１】
本考案は、コップや、空になった牛乳パック、ペットボトルなどを洗浄した後、水切りのために利用する水切具に関し、更に詳しくは、流し台の水槽部やバックガード部などの立設壁面に強固に且つ容易に吸着固定して使用できる水切具に関する。
【背景技術】
【０００２】
省エネ、省資源化が叫ばれてから久しく、例えば、地域のスーパーで購入した紙パック入りの牛乳、ペットボトル入りの飲料水などは空になった後、空パック、空瓶として引き取るシステムが確立され、リサイクル商品の典型的なモデルとなって生活に密着している。これらを引き取るためには乾燥していることが条件であるが、これらの乾燥の目的で、安価な水切具が提案されている。
【０００３】
従来のこの種の水切具の一例としては、例えば細長帯状の金属板から一体に形成され、直線状の基板部と、該基板部の上端から下方に折り返され、基板部に接近した後、遠ざかるように逆Ｕ字形に折り曲げられた取付け固定部を形成するとともに、この取付け固定部と反対方向へ基板部の下端から上方へ膨出するように湾曲状に折り曲げられた膨出部と、基板部を挟んで取付け固定部と反対側で膨出部の基板部に接する箇所から逆方向へ折り返して形成された折り返し部とから形成される水切りハンガーがある。そして、この水切りハンガーは別に設けた枠体にその取付け固定部を引っ掛けるようにして固定して利用されるが、折り返し部をコップに挿入して基板部と折り返し部との接するところにコップを挟んで固定できるという点に大きな特徴がある（例えば、特許文献１参照）。
【０００４】
また、他の例としては、金属線材からなる脚体を折り曲げて立ち上がり状に２本の背枠を形成し、この背枠間に横フレームを溶接固定し、そしてこの背枠にコップを係止するための係止フレームを手前側に延ばして溶接固定して形成し、該係止フレームにコップの底を上に開放端を斜め下向きの姿勢になるように保持するコップの水切り用具などがある。
【特許文献１】実用新案登録第３０８２６８５号公報（図３）
【考案の開示】
【考案が解決しようとする課題】
【０００５】
しかしながら、前者の水切りハンガーにおいては、その主要部の細長帯状の金属板は、一般的にはプレス曲げ加工、せん断加工によって製作され、さらにこの加工の後に手が触れても怪我しないように、金属板のせん断面であるエッジ部に、加工時発生したバリ、カエリを削りとることが必要であり、その為に製作工数が大となり、これによって安価に実現することは難しく、更に、この水切りハンガーは、別に設けた枠体にその取付け固定部を引っ掛けるようにして固定して用いられるので、枠体を準備する必要があり、また、コップを係脱する際に、時として横向きの力が掛かると、このハンガーが左右に傾いてしまうという課題があった。
【０００６】
また、後者のコップの水切り用具においては、金属線材を溶接固定して形成されるので製造、加工が面倒であるばかりでなく、溶接部分に錆が発生したり、また全体としては金属線材を格子状に形成した形のために、汚れた際の清掃が面倒という課題があった。
【０００７】
本考案は上記課題を解決するもので、流し台のシンクやバックガード部などの立設壁面に、容易に、確実に且つ強固に固定でき、利用者が安心して使用できるように形成した水切具を安価に提供することを目的としている。
【課題を解決するための手段】
【０００８】
上記目的を達成するために、本考案の第１は、吸着盤と、該吸着盤の背後に重ねて配置されている加圧盤を有し、吸着盤を湾曲させて該吸着盤に吸着力を付与する押圧保持レバーを有してなる吸着部の前記加圧盤の外側に、該加圧盤に対して略水平方向にスタンド支承部が延設されてなるスタンド基台部の前記スタンド支承部に、ロッド状スタンドが立設されてなることを特徴とする水切具を内容とする（請求項１）。
【０００９】
本考案の第２は、吸着盤と、該吸着盤の背後に重ねて配置されている加圧盤を有し、吸着盤を湾曲させて該吸着盤に吸着力を付与する押圧保持レバーを有してなる吸着部の前記加圧盤の外側に、該加圧盤に対して略水平方向にスタンド支承部が延設されてなるスタンド基台部２個を適宜間隔を置いて配設し、該スタンド基台部の前記スタンド支承部に、フレームに少なくとも３個のロッド状スタンドを設けたフレームスタンドが立設されてなることを特徴とする水切具を内容とする。
【００１０】
好ましい態様としての請求項３は、フレームスタンドに、伸縮自在の支柱が取り付けられていることを特徴とする請求項２記載の水切具を内容とする。
【００１１】
好ましい態様としての請求項４は、ロッド状スタンドの頭部に装飾部が設けられていることを特徴とする請求項１〜３のいずれか１項に記載の水切具を内容とする。
【００１２】
好ましい態様としての請求項５は、ロッド状スタンドの頭部に支承板が設けられていることを特徴とする請求項１〜３のいずれか１項に記載の水切具を内容とする。
【００１３】
好ましい態様としての請求項６は、プラスチックからなる請求項１〜５のいずれか１項に記載の水切具を内容とする。
【考案の効果】
【００１４】
本考案の水切具は、吸着盤の背後に重ねて配置した加圧盤と、吸着盤を湾曲させて吸着力を付与する押圧保持レバーを有する吸着部を用い、加圧盤に対して略水平方向にスタンド支承部を設けたスタンド基台部を延設し、前記スタンド支承部にロッド状スタンドを立設するように形成したもので、押圧保持レバーにより強力な吸着力で、例えば流し台のシンク内壁面に取り付けられる。従って、ガラスコップや瓶等のかなりの重量物でも水切りすることが可能である。
【００１５】
また、本考案の水切具は構造が極めてシンプルであり、プラスチックで一体成形することができるので、大量生産も容易で、したがって安価に提供することが可能となる。
【００１６】
また、２個のスタンド基台部を適宜間隔を置いて配設し、該スタンド基台部のスタンド支承部の間をフレームによって結合して少なくとも３個のロッド状スタンドを設けることができ、複数個のコップなどの水切り処理を同時に行なうことができる。
【００１７】
また、ロッド状スタンドの頭部に動物や花などを模した装飾部を設けることにより、興趣性に富み、娯楽性が高められるので、装飾品としての役割を果たすとともに、子供等も進んで水切りする習慣が身につき情操教育に役立つという効果も得られる。
【考案を実施するための最良の形態】
【００１８】
本考案の水切具は、吸着盤の背後に重ねて配置される加圧盤と、吸着盤を湾曲させて吸着力を付与する押圧保持レバーを有する強力に吸着固定する吸着部を備えるとともに、加圧盤の外側に、該加圧盤に対して略水平方向にスタンド支承部を有するスタンド基台部を延設し、該スタンド支承部にロッド状スタンドが立設されてなることを基本構成としている。
【００１９】
また、上記水切具では、１個のスタンド支承部に１個のロッド状スタンドが立設されるので、水切りの効率性に限界があるが、２個のスタンド支承部をフレームによって連結し、このフレーム上に少なくとも３個のロッド状スタンドを設けることにより、使用したスタンド支承部の数以上の複数個のコップなどを同時に水切りすることができる。
【００２０】
また、ロッド状スタンドの頭部に動物、花、果物、野菜、キャラクター、その他の装飾部を設けることによって、装飾性、興趣性、娯楽性に富み、水切り作業を楽しんだり、また、円盤状の支承部を設けることによって、コップなどを安定した姿勢で保持することができる。
【００２１】
また、上記した各部材の係合、結合手段についてはネジ式、はめあい式、接着方式等々適宜公知のものを利用することができる。
本考案の水切具の素材としては特に制限されず、金属、プラスチック等が挙げられるが、成形性、造形性、価格等の点でプラスチックが好ましい。プラスチックとしては、例えば、ポリエチレン、ポリプロピレン等のポリオレフィン樹脂、ＡＢＳ樹脂、ポリスチレン樹脂、塩化ビニル樹脂、ポリアミド樹脂、ポリエステル樹脂等が挙げられる。
【００２２】
以下、本考案の水切具を図面に基づいて説明するが、本考案はこれらにより何等限定されるものではない。
【００２３】
（実施の形態１）
本考案の実施の形態１について図１〜図３を参照して説明する。図１は本考案の実施の形態１における水切具の正面図、図２は同水切具の側面図、図３は同水切具の使用状態を示す側面図である。
【００２４】
図１〜図３に示すように、本考案の水切具１は、吸着部３とスタンド支承部８とからなるスタンド基台部２と前記スタンド支承部８に立設したロッド状スタンド７とからなっている。
吸着部３は、フラットから僅かに湾曲気味の円形の吸着盤４と、該吸着盤４の背後に重ねて配置される円形の加圧盤５と、吸着盤４を湾曲させ吸着盤４が当接する被吸着面とで形成される空間部の体積を機械的に拡大させることで該空間部を低圧状態にして吸着力を付与するための押圧保持レバー６を備え、また、スタンド支承部８は、前記加圧盤５の外側上方から連結し該加圧盤５に対して略水平方向に延設されている。本例では、ロッド状スタンド７はスタンド支承部８に圧入され、また、ロッド状スタンド７の先端部にはクマなどの動物を擬装した装飾部９を配設し、装飾性や娯楽性をもたせている。
【００２５】
上記吸着部３の詳細については後述するが、図２に示すように、押圧保持レバー６をＡの状態からＢの状態に支軸１０を中心に回動すれば、吸着盤４と該吸着盤４が当接する被吸着面とで形成される空間部の体積を拡大させ空間部を低圧状態にすることで吸着部３に強力な吸着力を付与し、また、押圧保持レバー６を逆方向に回動すれば、元にもどり解除する働きがある。
【００２６】
本考案による実施の形態１の使用例としては、図３に示すように、例えば流し台のシンク内壁面１１を被吸着面とし、吸着部３の押圧保持レバー６は図２に示したＢの状態にロックされているので水切具１は強固に吸着固定されている状態にあり、さらに、スタンド基台部２のスタンド支承部８に立設したロッド状スタンド７には、洗浄したばかりのペットボトル１２が逆さの姿勢で掛吊されている。
【００２７】
（実施の形態２）
次に、本考案の水切具の実施の形態２について図４を参照して説明する。なお、前述の実施の形態１と異なる構成要素を中心にして説明する。以下の実施の形態においても同様である。
【００２８】
前述の実施の形態１では、吸着部３とこれに加圧盤５を延設したスタンド支承部８とからなるスタンド基台部２を１個用い、該スタンド基台部２のスタンド支承部８に１本のロッド状スタンド７を立設した水切具１を示したが、本実施の形態では、２個のスタンド基台部を適宜間隔を置いて左右に配設し、各スタンド支承部８同士をフレーム１３で連結するとともに、フレーム１３の中央にスタンド支承部８を介して新たにロッド状スタンド７を立設してなるフレームスタンド１４として形成した形態である。勿論、フレーム１３の長さ、全体の設計強度、使用状況を勘案してロッド状スタンド７を更に増設することも可能である。本例の水切具は、スタンド基台部の数以上のロッド状スタンドを備えており、多くのコップ等を効率的に水切りすることができる。
【００２９】
また、本例では、スタンド支承部８の高さＨを高めに形成しロッド状スタンド７とネジ方式で結合されている（図示せず）。このようにすれば、図２に示したような装飾部９付きの予め準備されたロッド状スタンド７から単なる円形状の支承板１５付きのロッド状スタンド７に変更したり、またロッド状スタンド７の長さの異なるものに自由に変更することができて便利である。
【００３０】
（実施の形態３）
本実施の形態３は、図５に示すように、図４に示す実施の形態２における３本のロッド状スタンド７を有して形成したフレームスタンド１４の前方（押圧保持レバー６のある側）に、同じくフレームで結合され予め準備された３本のロッド状スタンド７が配置されて、これら二列のスタンド群を第２のフレーム１６を介して結合し、合計６本のロッド状スタンド７を有する増設フレームスタンド１７として形成した形態である。
【００３１】
この増設フレームスタンド１７の形態では、第２のフレーム１６の中央付近から増設したロッド状スタンド７（Ｃの位置）の間に、図示したように、例えば、ネジ式で伸縮自在として高さ調節可能な支柱１８を設ければ強度的な安定した水切具１を形成することが可能である。
そして、図６に示すように、この形態の増設フレームスタンド１７を利用すれば、例えば一度に６個のコップ１９を掛け水切りすることも可能となる。
【００３２】
（実施の形態４）
本考案に用いられる吸着部の一例及びその吸着原理について図７、図８を参考に説明する。
吸着部３は、弾性素材の吸着盤４の背後に重ねて配置された硬質素材からなる半球状又は台形状の加圧盤５を有し、吸着盤４をフラットの状態から加圧盤５側へ湾曲させ、被吸着面２０と吸着盤４の内面との間に形成される空間部２１を低圧化にすることによって強力な吸着力を発生させるものであり、図７に示すように、吸着盤４の中央に連結ロッド２２が固定され、該連結ロッド２２は加圧盤５の中央に設けられた貫通孔２３内を摺動し、且つその先端部はコの字状の軸受２４を有する押圧保持レバー６と支軸１０を介して連結されている。
【００３３】
また、押圧保持レバー６の一方に設けられた軸受２４の片側は偏芯カム２５で形成され、他方、軸受２４と反対側には操作レバー２６が設けられている。
また、偏芯カム２５と操作レバー２６との間には、操作レバー２６をＹからＺの状態に回動させ、加圧盤５の上面部２７に当接してロック状態の位置を決定する当接部２８が設けられている。
【００３４】
さらにまた、吸着側に操作レバー２６を操作すると偏芯カム２５はその回転半径を大きくしながら回転して吸着盤４をリフトするように作用し、終期近くになってさらに操作レバー２６を同方向に操作すると偏芯カム２５の特性によりリフト量が逆に僅かに下がるポイントを有している。そして、丁度このポイントになった時点で当接部２８は加圧盤５の上面部２７に当接しそれ以上は操作レバー２６は回動できないように構成されている。
【００３５】
このように本実施の形態によれば、押圧保持レバー６の操作レバー２６を回動すると連結ロッド２２は上下に摺動するとともに、吸着盤４を機械的に湾曲し空間部を広げて大きな低圧を発生させて吸着力を増大する一方、終着の偏芯カム２５の位置を連結ロッド２２のデッドポイント（死点）から僅かにずれた位置に保持しているので操作レバー２６も一層強固に固定される状態となる。
【００３６】
上記のような吸着原理を利用した強力な吸着固定力を有する吸着部としては、例えば、実用新案登録第２５６８４５３号、同３１０２３３６号、同３１１７１５８号等に記載されているものが挙げられ、これらのいずれも本考案における吸着部として好適に使用することができる。
【産業上の利用可能性】
【００３７】
本考案の水切具は、吸着盤の背後に重ねて配置されている加圧盤と、吸着盤を湾曲させて吸着力を付与する押圧保持レバーを有する吸着部を使用し、加圧盤の外側に、該加圧盤に対して略水平方向にスタンド支承部を有するスタンド基台部を延設し、該スタンド支承部にロッド状スタンドが立設されてなるので、強力な吸着固定力を有し、コップや瓶等のかなり重量の大きいものでも水切りすることが可能である。
また、本考案の水切具は、簡易な構成からなり、全て樹脂材料で構成することができるので成形により安価に提供でき、且つ錆などによる汚染の心配もない。
【図面の簡単な説明】
【００３８】
【図１】本考案の実施の形態１における水切具の正面図である。
【図２】同水切具の側面図である。
【図３】同水切具の使用状態を示す側面図である。
【図４】本考案の実施の形態２における水切具の正面図である。
【図５】本考案の実施の形態３における水切具の正面図である。
【図６】同水切具の使用状態を示す側面図である。
【図７】本考案の水切具に用いられる吸着部の一例及びその原理を説明するための側面図である。
【図８】同上面図である。
【符号の説明】
【００３９】
１  水切具
２  スタンド基台部
３  吸着部
４  吸着盤
５  加圧盤
６  押圧保持レバー
７  ロッド状スタンド
８  スタンド支承部
９  装飾部
１０  支軸
１１  シンク内壁面
１２  ペットボトル
１３  フレーム
１４  フレームスタンド
１５  支承板
１６  第２のフレーム
１７  増設フレームスタンド
１８  支柱
１９  コップ
２０  被吸着面
２１  空間部
２２  連結ロッド
２３  貫通孔
２４  軸受
２５  偏芯カム
２６  操作レバー
２７  上面部
２８  当接部
【図１】
0003124034.tif 000003
【図２】
0003124034.tif 000004
【図３】
0003124034.tif 000005
【図４】
0003124034.tif 000006
【図５】
0003124034.tif 000007
【図６】
0003124034.tif 000008
【図７】
0003124034.tif 000009
【図８】
0003124034.tif 000010